(57)【要約】      （修正有）【課題】ばね性のある剛性線条の素材を螺旋状に重ね巻きとした鋼線と鋼線との隙間に紙片等を押し込むことが難しく、重ね巻きの数を多くしてつまみ部を設けたものは２巻きとした螺旋体ではそのつまみ部の動きによって紙片等が挟み難くなることを無くした螺旋巻きクリップを提供する。【解決手段】ばね性のある剛性線条を螺旋巻きにして複数回巻くことで螺旋体２を形成し、その螺旋巻きした剛性線条の巻き始めと巻き終わりとになる両端部３をおおよそ上下に重なる位置とする。そして、その両端部３より剛性線条を延長させて螺旋体２の中心部内側に向けるか反対の外側に向けるかした二本の向き合う腕部４を設け、その二本の腕部４を螺旋体２の外周によって形成される中空面５と平行状態とならない外側に傾斜させた腕部４によるレバーアーム６を設けた螺旋巻きクリップとする。【選択図】図１
0003131470.tif 000002
【実用新案登録請求の範囲】
【請求項１】
金属類やプラスチック類の如きばね性のある剛性線条を素材とし、その剛性線条を螺旋巻きにして複数回巻くことでその剛性線条が一巻きした環体を挟持部として隣り合う挟持部が相隣接する引張りコイルばね状の螺旋体を形成し、その螺旋巻きした剛性線条の巻き始めと巻き終わりとになる両端部をおおよそ上下に重なる位置とし、その両端部より剛性線条を延長させて螺旋体の中心部内側とは反対の外側に向けた二本の向き合う腕部を設け、その二本の腕部を螺旋体の外周によって形成される中空面と平行状態とならない外側に傾斜させた腕部によるレバーアームを設けたことを特徴とする螺旋巻きクリップ。
【請求項２】
螺旋巻きの両端部より延長する剛性線条の二本の向き合う腕部を、螺旋体の中心部側となる内側に向けて螺旋体より更に延長する腕部とし、その延長した腕部を螺旋体と交叉する点より螺旋体の外周によって形成される中空面と平行状態とならない外側に傾斜させた腕部によるレバーアームを設けたことを特徴とする請求項１に記載の螺旋巻きクリップ。
【請求項３】
金属類やプラスチック類の如きばね性のある剛性線条を素材とし、その剛性線条を螺旋巻きにして複数回巻くことでその剛性線条が一巻きした環体を挟持部として隣り合う挟持部が相隣接する引張りコイルばね状の螺旋体を形成し、その螺旋体の外側となる環体の向き合う弧となる部分をお互いが異なる方向となる外側に曲げ起こすことで傾斜したレバーアームを設けたことを特徴とする螺旋巻きクリップ。
【請求項４】
金属類やプラスチック類の如きばね性のある剛性線条を素材とし、その剛性線条を螺旋巻きにして複数回巻くことでその剛性線条が一巻きした環体を挟持部として隣り合う挟持部が相隣接する引張りコイルばね状の螺旋体を形成し、その隣り合う挟持部が同形となる他にレバーアームとは反対側となる挟持口での挟持部の重なり合いをずらした長寸挟持部と挟持部とが隣り合う長短差を付けた螺旋体を設けたことを特徴とする請求項１乃至請求項３のうちのいずれか１項に記載の螺旋巻きクリップ。
【請求項５】
螺旋体を形成して隣り合う挟持部とレバーアームとの形状を、三角形、四角形等の幾何学的な形状や花、動物等の具象的な形状としたことを特徴とする請求項１乃至請求項４のうちのいずれか１項に記載の螺旋巻きクリップ。
【考案の詳細な説明】
【技術分野】
【０００１】
この考案は、ばね性のある剛性線条の素材を螺旋状に複数回巻きしたものによる、紙片等のシート片を綴じる螺旋巻きクリップに関するものである。
【背景技術】
【０００２】
従来、ばね性のある剛性線条の素材を螺旋状に複数回巻いたクリップとしては、剛性線条のばね性素材を螺旋状に二回巻いて螺旋巻き剛性線条の両端部を一箇所で括り輪で固定した特許文献１があり、また、剛性線条のばね性素材を螺旋状に２回、３回、４回、５回巻きと増やして多種の紙辺類等の挟み込みを可能にした特許文献２もあって、更には、剛性線条のばね性素材を螺旋状に数多く巻いて筒状に形成した両端の一巻きを折り返してつまみ部を設けたクリップの特許文献３があった。。
【０００３】
【特許文献１】実公昭３６−２３１０４号公報
【特許文献２】実開昭６１−８１８０号公報
【特許文献３】実登第３０６８０４５号公報
【考案の開示】
【考案が解決しようとする課題】
【０００４】
従来のばね性のある剛性線条の素材を螺旋状に二回巻いたクリップは、その円形に重ね巻きとした鋼線と鋼線との隙間に紙片等を押し込んで螺旋体に挟み付けるクリップであって、枚数の多い紙片等を重ね巻きとした鋼線と鋼線との隙間に押し込むことが難しいものであった。
【０００５】
また、剛性線条の重ね巻きの数を多くしたクリップは、重ね巻きの数以上の枚数を挟むことが出来ず、枚数の多い紙片等を挟むものとしては螺旋体が大きくなり取扱い難いものとなるものであり、その螺旋体の巻き数を多くした両端の一巻きの鋼線を上方に折り返してつまみ部を設けたものは剛性線条の重ね巻きの数が少ないものでは隣接する挟持部の離れが狭くなり、二巻きとした螺旋体としたものではそのつまみ部の動きが無くなることから隣接する挟持部が離れず紙片等が挟み難くなる欠点があった。
【０００６】
本考案は、以上の課題を解決するためレバーアームを設けた螺旋巻きクリップを提供するものである。
【課題を解決するための手段】
【０００７】
本考案に係わる螺旋巻きクリップは、金属類やプラスチック類の如きばね性のある剛性線条を素材とし、その剛性線条を螺旋巻きにして複数回巻くことでその剛性線条が一巻きした環体を挟持部１として隣り合う挟持部１が相隣接する螺旋体２を形成し、その螺旋巻きした剛性線条の巻き始めと巻き終わりとになる両端部３をおおよそ上下に重なる位置としている。
【０００８】
そして、その両端部３より剛性線条を延長させて螺旋体２の中心部側とは反対の外側に向けた二本の向き合う腕部４を設け、その二本の腕部４，４をその螺旋体２の外周によって形成される中空面５より外側に傾斜させた腕部４によるレバーアーム６を設けて螺旋巻きクリップを形成するものである。
【０００９】
この二本の向き合う腕部４を中空面５より外側に傾斜させたレバーアーム６は、指先で二本の向き合うレバーアーム６を接近するように押し寄せることで、レバーアーム６と対向する反対側の隣り合う挟持部１が離れて広い隙間を形成することになって挟持口７が開いた状態となるもので、中空面５より外側に傾斜させたレバーアーム６はその傾斜角度を大きくすれば挟持口７の開きが大きくなるものであり、挟む用紙等の枚数を多く挟むことが出来るものである。
【００１０】
このレバーアーム６による挟持口７の開きは、テコの原理によるもので、螺旋巻き端部３となつている腕部４の付け根が支点となって指先で押すレバーアーム６の位置が力点となり、その作用点は挟持部１の先端になる挟持口７へと力が作用することによるものである。
【００１１】
また、螺旋巻きの両端部３より延長する剛性線条の二本の向き合う腕部４を、螺旋体２の中心部側となる内側に向けて螺旋体２より更に延長する腕部４とし、その延長した腕部４を螺旋体２と交叉する点より螺旋体２の外周によって形成される中空面５と平行状態とならない外側に傾斜させた腕部４によるレバーアーム６を設ける手段が考えられるものである。
【００１２】
この螺旋体２の中心部側となる内側に向けて螺旋体２より更に延長する腕部４からなるレバーアーム６による挟持口７の開きは、腕部４が螺旋体２と交叉する点を支点として螺旋体２の両端部３から延長するレバーアーム６の先端が作用点になるものである。
【００１３】
更には、金属類やプラスチック類の如きばね性のある剛性線条を素材とし、その剛性線条を螺旋巻きにして複数回巻くことでその剛性線条が一巻きした環体を挟持部１として隣り合う挟持部１が相隣接する引張りコイルばね状の螺旋体２を形成し、その螺旋体２の上下となる外側に位置する挟持部１の向き合う弧となる部分をお互いが異なる方向となる外側に曲げ起こし、その曲げ起こした弧となる部分を傾斜したレバーアーム６とするもので、螺旋体２の両端部３より延長する剛性線条によらないレバーアーム６を考えることが出来るものである。
【００１４】
この螺旋巻きの両端部３より延長する剛性線条によらないレバーアーム６による挟持口７の開きは、その螺旋体２の外側となる環体の弧となる部分を異なる方向の外側に曲げ起こした曲げ角が支点となり、レバーアーム６の弧となる部分が力点でその弧と反対側となる挟持口７が作用点となることで挟持口７が開くことになるものである。
【００１５】
引張りコイルばね状の螺旋体２としては円形が一般的であるが、剛性線条を螺旋巻きにして複数回巻くことでその剛性線条が一巻きした環体を円形以外の形状による挟持部１とすることが出来るもので、その隣り合う挟持部１が同形となる他にレバーアーム６とは反対側となる挟持口７での挟持部１の重なり合いをずらした長寸挟持部８と挟持部１とが隣り合う挟持口７に長短差を付け、その長寸挟持部８の先端が用紙等を挟持部１に案内する働きのある螺旋体２による螺旋巻きクリップを考えることが出来る。
【００１６】
また、螺旋体を形成して隣り合う挟持部とレバーアームとの形状を、三角形、四角形等の幾何学的な形状や花、動物等の具象的な形状とした螺旋体２による螺旋巻きクリップも考えることが出来る。
【考案の効果】
【００１７】
本考案による螺旋巻きクリップは、一巻きした環体を挟持部１として隣り合う二つの挟持部１の間となる挟持口７を、レバーアーム６によって大きく離し開けることが出来るので複数枚の多くを挟むことが出来、隣り合う二つの挟持部１の間に一枚の紙片等の縁を注意深く押し込めることをしなくて済むものである。
【００１８】
また、本考案による螺旋巻きクリップは、金属類やプラスチック類の如きばね性のある剛性線条を素材としてその剛性線条を螺旋巻きにする加工が容易であり、その螺旋巻きを円形以外の様々な形状で螺旋体２を形成し、レバーアーム６においても様々な形状とすることが考えられて多彩な創作が出来るものであるから多くの人に喜んで使ってもらえるものとなる。
【考案を実施するための最良の形態】
【００１９】
以下、実施例を図面に基づいて説明する。
【実施例１】
【００２０】
本考案に係わる実施例の一つとしては、図１に示す斜視図のように、金属類やプラスチック類の如きばね性のある剛性線条を素材とし、その剛性線条を円形の螺旋巻きにして２回巻いたものとしていて、その剛性線条の一巻きした環体を挟持部１として隣り合う挟持部１が相隣接する螺旋体２を形成し、その螺旋巻きした剛性線条の巻き始めと巻き終わりとになる両端部３をおおよそ上下に重なる位置としている。
【００２１】
そして、その両端部３より剛性線条を延長させて螺旋体２の中心部側とは反対の外側に向けた二本の向き合う腕部４を設け、その二本の腕部４，４の先端を円形にしてその中空面が螺旋体２の外周によって形成される中空面５より外側に傾斜させた円形のレバーアーム６を設けて螺旋巻きクリップを形成したものとしている。
【００２２】
この螺旋巻きクリップを使用するときには、親指と人差し指とで向かい合う円形のレバーアーム６を押し寄せると隣接する挟持部１の先端となる挟持口７が離れるもので、これは螺旋巻き端部３となつている腕部４の付け根が支点となって指先で押すレバーアーム６の位置が力点となり、その作用点は挟持部１の先端になる挟持口７へと力が作用することによるものであるから、用紙等の紙片を多数枚挟むことが出来、その取扱いも容易なものとしている。
【００２３】
図２に示す側面図は、レバーアーム６が挟持部１と傾斜関係にある状態を明記したものであって、向かい合うレバーアーム６を寄せ付けることで挟持部１の先端となる挟持口７が大きく開くことを想像することが出来るものとしており、図３に示す斜視図のように螺旋巻きを６回巻きにしたものはその挟持部１の数が多く、用紙等の紙片を数多い挟持部１によってより多くの枚数を挟むことが出来るものとしている。
【００２４】
このレバーアーム６は、螺旋巻きを８回巻きにしてその螺旋体２の外側になる両端の挟持部１を１５０度折り返すことによって傾斜したレバーアーム６を形成したものとして見ることが出来るものとしている。
【実施例２】
【００２５】
別の実施例としては、図４に示す斜視図のように、ばね性のある剛性線条を円形の螺旋巻きで３回巻いた螺旋体２としていて、その螺旋巻きの両端部３より延長する剛性線条の二本の向き合う腕部４を円形の挟持部１の中心部側となる内側に向けて挟持部１より更に外側に向けて延長する腕部４とし、その延長した腕部４と交叉する点より挟持部１の外周によって形成される中空面５と平行状態とならない外側に傾斜させた腕部４による円形のレバーアーム６を設けたものとしている。
【００２６】
また、図５に示す斜視図のように、この３回巻いた螺旋体２を５回巻きの螺旋体２としていて、その螺旋巻きの両端部３より延長する剛性線条の二本の向き合う腕部４を円形の挟持部１の中心部側となる内側に向けて挟持部１より更に外側に向けて延長する腕部４とし、その延長した腕部４と挟持部１とが交叉する点より円形のレバーアーム６を挟持部１の外周によって形成される中空面５と平行状態とならない外側に傾斜させた円形のレバーアーム６を設けたものとしている。
【実施例３】
【００２７】
その他の実施の形態としては、図６に示す斜視図のように、金属類やプラスチック類の如きばね性のある剛性線条を素材とし、その剛性線条を螺旋巻きにして２回半巻くことでその剛性線条が一巻きした環体を挟持部１として隣り合う挟持部１が相隣接する引張りコイルばね状の螺旋体２を形成し、その螺旋体２の上下となる外側に位置する挟持部１の向き合う弧となる部分をお互いが異なる方向となる外側に曲げ起こし、その曲げ起こした弧となる部分を傾斜したレバーアーム６とするもので、螺旋体２の両端部３より延長する剛性線条によらないレバーアーム６を考えることが出来るもので螺旋体２よりレバーアーム６が外側に突出しない螺旋巻きクリップとしている。
【００２８】
また、図７に示す斜視図のものは、剛性線条の螺旋巻きを２回半巻いた螺旋体２を５回半巻きの螺旋体２とし、その螺旋体２の上下となる外側に位置する挟持部１の向き合う弧となる部分をお互いが異なる方向となる外側に曲げ起こし、その曲げ起こした弧となる部分を傾斜したレバーアーム６とするもので、螺旋体２よりレバーアーム６が外側に突出しない螺旋巻きクリップとしている。
【００２９】
更に、図８に示す斜視図のように、その隣り合う挟持部１が同形と成らずにレバーアーム６とは反対側となる挟持口７での挟持部１の重なり合いをずらした長寸挟持部８と挟持部１とが隣り合う挟持口７において長短差を付けることが考えられ、図９に示す斜視図の螺旋体２は剛性線条の螺旋巻きを５回巻きによる長寸挟持部８と挟持部１とが隣り合う挟持口７とした螺旋巻きクリップとしている。
【００３０】
この挟持口７での挟持部１の重なり合いをずらした長寸挟持部８と挟持部１とにおけるその長寸挟持部８の先端は用紙等を挟持部１に案内する働きのあるもので、この隣り合う挟持部１の密着している部分は同形の挟持部１によるものよりは少なくなるが用紙等の挟む能力としては十分な螺旋巻きクリップとしている。
【００３１】
螺旋体２を形成する隣り合う挟持部１とレバーアーム６との形状は、三角形、四角形等の幾何学的な形状や花、動物等の具象的な形状とした螺旋体２による螺旋巻きクリップも考えることが出来るもので、図１０に示す斜視図のように、ばね性のある剛性線条の螺旋巻きを半円形に２回巻いた螺旋体２とし、その螺旋巻きの両端部３より延長する剛性線条の二本の向き合う腕部４によってハート形のレバーアーム６を形成したものとしている。
【００３２】
螺旋体２を形成するばね性のある剛性線条による螺旋巻きの回数を２回、３回、５回、５回半、６回のものについて実施例を述べているが、指先でレバーアーム６を操作する螺旋巻きクリップとしての大きさを考えて使用し易いことから述べているものであって、螺旋巻きの回数を多くすることは自由である。
【図面の簡単な説明】
【００３３】
【図１】本考案に係わる実施例の一つを示す斜視図である。
【図２】レバーアームと挟持部とが傾斜関係にある状態を示す側面図である。
【図３】螺旋巻きを６回巻きにした螺旋体を示す斜視図である。
【図４】本考案に係わる別の実施例を示す斜視図である。
【図５】５回巻きの螺旋体で腕部を内側に向けたレバーアームを示す斜視図である。
【図６】その他の実施の形態を示す斜視図である。
【図７】その他の実施の形態での５回半巻きにした螺旋体を示す斜視図である。
【図８】長寸挟持部と挟持部とが隣り合う螺旋体を示す斜視図である。
【図９】５回巻きの長寸挟持部と挟持部とが隣り合う螺旋体を示す斜視図である。
【図１０】螺旋巻きを半円形に２回巻いた螺旋体を示す斜視図である。
【符号の説明】
【００３４】
１  挟持部
２  螺旋体
３  端部
４  腕部
５  中空部
６  レバーアーム
７  挟持口
８  長寸挟持部
【図１】
0003131470.tif 000003
【図２】
0003131470.tif 000004
【図３】
0003131470.tif 000005
【図４】
0003131470.tif 000006
【図５】
0003131470.tif 000007
【図６】
0003131470.tif 000008
【図７】
0003131470.tif 000009
【図８】
0003131470.tif 000010
【図９】
0003131470.tif 000011
【図１０】
0003131470.tif 000012
【手続補正書】
【提出日】平成19年3月16日(2007.3.16)
【手続補正１】
【補正対象書類名】実用新案登録請求の範囲
【補正対象項目名】請求項３
【補正方法】変更
【補正の内容】
【請求項３】
金属類やプラスチック類の如きばね性のある鋼性線条を素材とし、その鋼性線条を螺旋巻きにして複数回巻くことでその鋼性線条が一巻きした環体を挟持部として隣り合う挟持部が相隣接する引張りコイルばね状の螺旋体を形成し、その螺旋体の外側となる環体の向き合う弧の如き適宜な部分をお互いが異なる方向となる外側に曲げ起こすことで傾斜したレバーアームを設けたことを特徴とする螺旋巻きクリップ。
【手続補正２】
【補正対象書類名】明細書
【補正対象項目名】００１３
【補正方法】変更
【補正の内容】
【００１３】
更には、金属類やプラスチック類の如きばね性のある鋼性線条を素材とし、その鋼性線条を螺旋巻きにして複数回巻くことでその鋼性線条が一巻きした環体を挟持部１として隣り合う挟持部１が相隣接する引張りコイルばね状の螺旋体２を形成し、その螺旋体２の上下となる外側に位置する挟持部１の向き合う弧の如き適宜な部分をお互いが異なる方向となる外側に曲げ起こし、その曲げ起こした弧の如き適宜な部分を傾斜したレバーアーム６とするもので、螺旋体２の両端部３より延長する鋼性線条によらないレバーアーム６を考えることが出来るものである。
【手続補正３】
【補正対象書類名】明細書
【補正対象項目名】００１４
【補正方法】変更
【補正の内容】
【００１４】
この螺旋巻きの両端部３より延長する鋼性線条によらないレバーアーム６による挟持口７の開きは，その螺旋体２の外側となる環体の弧の如き適宜な部分を異なる方向の外側に曲げ起こした曲げ角が支点となり、レバーアーム６の弧の如き適宜な部分が力点でその弧の如き適宜な部分と反対側となる挟持口７が作用点となることで挟持口７が開くことになるものである。